(57)【特許請求の範囲】
【請求項１】
スプーンに似た形状や矩形に近い形の薄い板の一方の端にスプーンの側面形状のような丸みの曲面を設け、曲面の内側の面にファスニングテープのカギがある方を貼り付けた、ブラシを掃除するブラシＡと、ブラシＡを組み込むスペースを歯の裏側や柄に設けて、ブラシＡを保持できるブラシＢを、ブラシＡの該カギがある曲面と表裏になる外側の曲面を含む面が、ブラシＡを組み込み後の、セット品のブラシＢの表面の一部を構成するように設けることを特徴とする、ブラシを掃除するブラシセット。
【発明の詳細な説明】
【技術分野】
【０００１】  本発明はブラシＢとブラシＣに付いた髪の毛やフケを掃除する為のブラシＡと、ブラシＡを組み込めるブラシＢに関するものである。（以下、説明をわかり易くする為に、髪の毛やフケの付いたブラシＢに限り、その存在が「髪の毛やフケを取られるブラシ」と言う意味で、ブラシＣと同じである為、まとめてブラシＣと言う。ちなみに、ブラシＣはブラシＡを組み込んでいない、従来のブラシをさして言うものである。）
【背景技術】
【０００２】  ブラシＣに付いた髪の毛は直接手で掴み取る。髪をとかす前にガーゼをブラシＣの歯に刺しこんで取る。または、紙、楊枝、歯ブラシ、テープなどを用いて取っている。フケは紙で掴んだり、楊枝、歯ブラシなどを用いて擦ったり、水や洗剤を使用して歯ブラシ等で擦りながら洗って取り除いている。
【発明の開示】
【発明が解決しようとする課題】
【０００３】  背景技術の方法のうち、手あるいは紙で掴む方法や歯ブラシを使用する方法はブラシＣの歯の中央付近や根元に付いている髪の毛やフケを取りにくい。ガーゼは歯にさすのが櫛では簡単だがブラシＣにはさしにくい、また、使用したガーゼの再使用はし難い。楊枝は歯の根元に付いている髪の毛を浮かせることが出来るが引っ掛かりが悪く使いにくい。また、フケを取るには効率が悪すぎる。他の物を使用しても、髪の毛やフケを掴みにくい、使いにくい、効率が悪いなどの欠点がある。【０００４】  本発明はこれらの欠点を解消して、髪の毛とフケをブラシＣの歯の中央付近や根元に付いているものまで簡単に取り除くことができ、繰り返して使用できる掃除用のブラシＡと、ブラシＡを組み込めるブラシＢをつくることが課題である。
【課題を解決するための手段】
【０００５】  ブラシＡの平面形状はスプーンの物を掬う部分の幅が、ほぼ平行になるようにその両端を対称にカットして、出来た角を丸めたような形にする。この先端の方に、ファスニングテープのカギの面がある方を貼りつけて、カギの部分で髪の毛を引っ掛けて取る。または、カギの部分でフケを擦って取る。ほぼ平行にした部分の幅は、ブラシＣの歯の間を縦、横、斜めなど自在に動かせる１５ｍｍ位にする。【０００６】  ブラシＡの側面形状はブラシＡをブラシＢ本体に組み込んでセットにする場合、組み込みスペースが小さい時は、ブラシＡを組み込み易いように平らな矩形の板に近い形にする。また、組み込みスペースが大きい時やブラシＡを単独でセットにしない時は、浅いスプーンに似た側面形状にして、使い易くする。【０００７】  ファスニングテープの貼り方は二とおりある。ファスニングテープのカギの面には目（カギの方向）があり、コストがかかるが引っ掛ける機能を優先する場合は目が二つの方向になるように貼る。逆の場合は同じ方向で貼る。【０００８】  ブラシＢの歯の根元に溝がある等、引っ掛かり易いものに対しては、ブラシＡをブラシＢの歯に当てて動かすときに、動かす向きに傾けながら移動させて髪の毛とフケを取る。【０００９】  ブラシＢ本体には、ブラシＡが入るスペースを設けて、ブラシＡが組み込めるようにする。ブラシＡまたはブラシＢの材料の弾性を利用してブラシＡをブラシＢに嵌め込んだり、圧入したりする。または、マグネットやファスニングテープなどで保持して、ブラシＡとブラシＢを構成品にしたセットにする。
【発明の効果】
【００１０】  ブラシＡのファスニングテープのカギはその曲がりと数の多さで、髪の毛に引っ掛かり易い効果がある。特に髪の毛と交差するようにファスニングテープを動かした時に有効でブラシＢの幅を縦、横、斜めなど自在に動かせるようにしたことと、下記で説明するブラシＡの角度を変えた掃除が出来ることは、髪の毛との交差を確実なものにして、効果を高めている。【００１１】  ブラシＡのファスニングテープを貼り付けた面の角の丸みは、ブラシＡのカギの面をブラシＡの歯の軸に対して交差するように傾けてブラシＣの歯の間を動かした時に、その方向によってはブラシＡが、ブラシＣの歯や溝に引っ掛かって動かし難くなるのを防いで使い易くしている。【００１２】  また、ブラシＡをブラシＣの歯の軸に対して、ほぼ平行を保ちながら傾けて歯の間を動かす時にも、動かし易くする効果と共に、ファスニングテープの角度を変える、すなわち、カギの目の角度を変える動作が抵抗なく出来るようになり、髪の毛がブラシＣに付着している角度がどのようなものでも引っ掛かり易くなり、掃除の効率が良くなる。【００１３】  ブラシＡのファスニングテープを貼り付けた面の側面形状における丸みは、ブラシＡを斜めや弧をえがくように動かす時に、その動きを容易にして掃除の効果を上げている。また、カギの面でフケを擦り落とす時に、ブラシＡをブラシＣの歯から外れにくくして、フケを取り易くする効果がある。掃除後、髪の毛はファスニングテープのカギの面に比べれば長い為、カギの面から飛び出している。よって、髪の毛は簡単に手で取れる。また、フケは水洗いすると繰り返して使用できるので経済的効果もある。【００１４】  ブラシＡをブラシＢに組み込んだセットは、ブラシＢに髪の毛やフケが付着して取り除きたいと思った時に、ブラシＡを探す手間なく、すぐに掃除が出来る。長期間の出張や旅行などにブラシを持って行く人には場所を取らず便利である。
【発明を実施するための最良の形態】
【００１５】  ブラシＡは平面形状がスプーンのような形で、スプーンの物を掬う部分の幅を狭くする為に、ほぼ平行に両端を対称にカットして、出来た角を丸めたものである。この先端の方に、ファスニングテープのカギの面がある方を貼りつける。ブラシＡの側面形状もスプーンのような形で、ファスニングテープを貼り付ける面に丸みをつける。【００１６】  カットした部分の幅は、ブラシＣの歯の間を自在に動かせる寸法にする。幅は小さ過ぎても歯の間に入って直線的に動かし難いうえに、ファスニングテープの貼り付け面積が減り、髪の毛やフケを取る効果が減少する、さらに、貼り付け強度も落ちる。大き過ぎると、ブラシＡをブラシＣの歯の間で自在に動かせなくなる。この為、幅は使い易さと掃除の効率を考慮して、１５ｍｍ位にする。【００１７】  ファスニングテープの貼り方は目の方向により二とおりあるが、機能の差よりコストの差を重視して、カギの面の目を同じ方向で貼る。【００１８】  ブラシＡをブラシＣに当てて縦、横、斜め自在に動かして、カギの部分で髪の毛を引っ掛けて取る。または、カギの部分でフケを擦って取る。ブラシＣの歯の根元に溝がある等、ブラシＡを動かし難いものに対しては、ブラシＡを動かす向きに傾けながら移動させて髪の毛とフケを取る。【００１９】ブラシＢ本体に、ブラシＡが入るスペースを設けて、ブラシＡが組み込めるようにする。ブラシＡ本体とブラシＢ本体の材料はプラスチックにする。マグネットでブラシＡをブラシＢに保持し、ブラシＡとブラシＢを構成品にしたセットにする。
【実施例１】
【００２０】  以下、添付図面に従って実施例を説明する。１１はプラスチック等の適宜素材で成型したブラシＡ本体、１２はブラシＡ本体１１の先端の丸みをつけた部分に貼り付けたファスニングテープで、１３はファスニングテープのカギである。カギ１３の目は同じ方向で貼る。１４はブラシＡ本体１１に接着したマグネットである。以上によりブラシＡを構成する。ブラシＡ本体１１の先端部の幅は、ブラシＡをブラシＢの歯の間で自在に動かせるように１５ｍｍ位にする。ブラシＡはブラシＢに組み込める大きさと形状で、前述のスプーンに似たのもにする。【００２１】  １６はブラシＢ本体で歯のついている面の裏側から柄の部分にブラシＡを組み込むスペース１９を設ける。１７はブラシＢ本体１６に貼り付けたメッキをした鉄板である。これと、ブラシＡ本体１１に貼り付けたマグネット１４の磁力でブラシＡを保持し、ブラシＡとブラシＢを構成品にしたセットにする。【００２２】  髪の毛やフケはブラシＡをブラシＢの歯に当てて自在に動かし、ファスニングテープのカギ１３で髪の毛やフケを引っ掛けたり、カギ１３の部分で歯にこびりついたフケを擦ったりして取る。ブラシＢの歯の根元に溝がある等、動かし難いものに対しては、ブラシＡを動かす向きに傾けながら移動させて取る。カギ１３が多数ある為、髪の毛やフケが引っ掛かり易く、フケを擦る時の抵抗が大きいので、簡単な動作で掃除が出来る。【００２３】  掃除後、カギ１３に付いた髪の毛を手で取り、フケを水洗いする。ブラシＡ本体１１に設けた位置決めの孔１５をブラシＢ本体１６に設けた位置決めの突起１８に合わせて、ブラシＡをブラシＢ本体１６のスペース１９に組み込みマグネット１４の磁力で保持する。
【実施例２】
【００２４】  この例は実施例１の「カギの目の向き」と「ブラシＡの保持方法」を変更したものである。ファスニングテープをカギの目の向きをかえて、「目の向き１のファスニングテープ」２２ａと「目の向き２のファスニングテープ」２２ｂをブラシＡ本体２１先端部分に貼り、ブラシＡを構成した例である。目の向きが２方向になり、髪の毛が引っ掛かり易くなる。【００２５】  掃除後、ファスニングテープのカギ２３に付いた髪の毛を手で取り、フケを水洗いする。ブラシＡ本体２１に設けた圧入用の孔「１」２４と圧入用の孔「２」２５をブラシＢ本体２６に設けた圧入用の突起「１」２７と圧入用の突起「２」２８に合わせて圧入して組み込み、ブラシＡをブラシＢ本体２６のスペース２９に保持する。その他、「使用時はブラシＡの端に指をかけて持ち上げる」を含め、掃除の方法は、実施例１と同じである。
【実施例３】
【００２６】  この例はブラシＡを単独でセットにしない場合で、マグネットや圧入などの保持手段を設けていない。ブラシＡ本体３１の柄の部分に凸面鏡３４を貼り、ブラシＡ本体３１先端にＵの字形のファスニングテープ３２を貼り付けたものである。Ｕの字の形はカギ３３に付いた髪の毛がいくらか取り易くなるが、フケを擦り取る効果が減少する。ブラシＡを組み込むブラシＢが大きい場合は、上記の保持手段を設けて組み込みセットにすると、凸面鏡で髪の状態を見ながら、とかすことが出来る。
【実施例４】
【００２７】  ブラシＡの形を最も単純にした例で、矩形の近い形の板で一方の角に丸みをつけ、他方の端にスプーンの側面形状のような丸みの曲面を設けて、ブラシＡ本体４１とし、曲面の内側の面の端にファスニングテープ４２のカギ４３のある方を貼り付けたものである。ブラシＡを最も小さくできる為、持ち運びに便利で、保持手段を設けてセットにする場合にも、スペースを気にしなくて良くなる。低コストで場所を取らない為、単品で製作して無料配布のギフト品としても利用できる。
【図面の簡単な説明】
【００２８】
【図１】実施例１のセットにしたブラシＡとブラシＢ
【図２】実施例１のブラシＡ
【図３】実施例２のセットにしたブラシＡとブラシＢ
【図４】実施例２のブラシＡ
【図５】実施例３のカギの面がＵ形で、凸面鏡を貼り付けたブラシＡ
【図６】実施例４の最も単純な形のブラシＡ
【符号の説明】
【００２９】  １１  実施例１のブラシＡ本体
１２  実施例１のファスニングテープ
１３  実施例１のファスニングテープのカギ
１４  マグネット
１５  位置決めの孔
１６  実施例１のブラシＢ本体
１７  ブラシＢ本体１６に貼り付けたメッキをした鉄板
１８  位置決めの突起
１９  ブラシＢ本体１６に設けたスペース
２１  実施例２のブラシＡ本体
２２ａ  目の向き１のファスニングテープ
２２ｂ  目の向き２のファスニングテープ
２３  実施例２のファスニングテープのカギ
２４  圧入用の孔「１」
２５  圧入用の孔「２」
２６  実施例２のブラシＢ本体
２７  圧入用の突起「１」
２８  圧入用の突起「２」
２９  ブラシＢ本体２６に設けたスペース
３１  実施例３のブラシＡ本体
３２  実施例３のファスニングテープ
３３  実施例３のファスニングテープのカギ
３４  凸面鏡
４１  実施例４のブラシＡ本体
４２  実施例４のファスニングテープ
４３  実施例４のファスニングテープのカギ
【図１】
0004817022.tif 000002
【図２】
0004817022.tif 000003
【図３】
0004817022.tif 000004
【図４】
0004817022.tif 000005
【図５】
0004817022.tif 000006
【図６】
0004817022.tif 000007